【手続補正書】
【提出日】平成29年10月25日(2017.10.25)
【手続補正１】
【補正対象書類名】明細書
【補正対象項目名】発明の名称
【補正方法】変更
【補正の内容】
【発明の名称】制御装置、電気掃除機、掃除管理システム、掃除管理方法およびプログラム
【手続補正２】
【補正対象書類名】明細書
【補正対象項目名】０００１
【補正方法】変更
【補正の内容】
【０００１】
本発明は、制御装置、電気掃除機、掃除管理システム、掃除管理方法およびプログラムに関する。
【手続補正３】
【補正対象書類名】明細書
【補正対象項目名】０００６
【補正方法】変更
【補正の内容】
【０００６】
本発明は、上記実情に鑑みてなされたものであり、ユーザに対し、掃除に関する報知を適宜行うことができる制御装置、電気掃除機、掃除管理システム、掃除管理方法およびプログラムを提供することを目的とする。
【手続補正４】
【補正対象書類名】明細書
【補正対象項目名】０００７
【補正方法】変更
【補正の内容】
【０００７】
上記目的を達成するために、本発明に係る制御装置は、
機器の現在位置を示す位置情報を受信する通信部と、
掃除対象の場所毎に掃除を実施した日を示す掃除実施日を対応づけた掃除管理情報を記憶する掃除管理情報記憶部と、
受信した前記位置情報から、前記機器の動作場所を特定し、特定した動作場所に基づいて前記掃除管理情報を更新する更新部と、
前記掃除管理情報に基づいて、ユーザへの報知の要否を判別する報知判別部と、
前記報知判別部によりユーザへの報知が必要であると判別された場合、予め定めた態様でユーザに報知する報知部と、を備える。
【手続補正５】
【補正対象書類名】特許請求の範囲
【補正対象項目名】全文
【補正方法】変更
【補正の内容】
【特許請求の範囲】
【請求項１】
機器の現在位置を示す位置情報を受信する通信部と、
掃除対象の場所毎に掃除を実施した日を示す掃除実施日を対応づけた掃除管理情報を記憶する掃除管理情報記憶部と、
受信した前記位置情報から、前記機器の動作場所を特定し、特定した動作場所に基づいて前記掃除管理情報を更新する更新部と、
前記掃除管理情報に基づいて、ユーザへの報知の要否を判別する報知判別部と、
前記報知判別部によりユーザへの報知が必要であると判別された場合、予め定めた態様でユーザに報知する報知部と、を備える、
制御装置。
【請求項２】
前記報知判別部は、
前記掃除管理情報に含まれるいずれかの掃除実施日から、予め定めた期間が経過した場合に、ユーザへの報知が必要であると判別する、
請求項１に記載の制御装置。
【請求項３】
前記掃除管理情報記憶部は、
掃除の対象となる場所を識別する場所識別情報と、前記掃除の対象となる場所毎に予め設定された目標掃除間隔を対応づけて記憶する、
請求項２に記載の制御装置。
【請求項４】
掃除の対象となる場所毎に前記機器により掃除を行う予定日が登録されたスケジュール情報を記憶するスケジュール情報記憶部を更に備え、
前記報知部は、前記スケジュール情報も加味してユーザに報知する、
請求項１から３のいずれか１項に記載の制御装置。
【請求項５】
ユーザの所持する情報端末のアドレス情報を記憶するアドレス記憶部を更に備え、
前記報知部は、
前記アドレス情報を参照して、前記情報端末へ掃除を催促するメッセージを送信する、
請求項１から４のいずれか１項に記載の制御装置。
【請求項６】
前記報知部は、
表示装置へ掃除を催促するメッセージを送信する、
請求項１から５のいずれか１項に記載の制御装置。
【請求項７】
前記報知部は、
前記報知判定部がユーザへの報知が必要であると判別された場所を、前記機器に設けられる表示画面に表示する、
請求項１から６のいずれか１項に記載の制御装置。
【請求項８】
前記報知部は、
前記更新部が特定した前記機器の動作場所と、前記報知判定部がユーザへの報知が必要であると判別された場所とから、前記機器を移動させる方向を指し示す矢印を、前記機器に設けられる表示画面に表示する、
請求項１から７のいずれか１項に記載の制御装置。
【請求項９】
無線通信装置と通信可能な電気掃除機であって、
前記無線通信装置から受信する無線信号に基づいて位置情報を算出する位置算出部と、
前記位置算出部が算出した位置情報に基づいて、前記電気掃除機が移動したか否かを判定する移動判定部と、を備える、
電気掃除機。
【請求項１０】
前記移動判定部により前記電気掃除機が移動したと判定された場合に、前記位置算出部が算出した位置情報を外部に送出する位置情報送信部を備える、
請求項９に記載の電気掃除機。
【請求項１１】
掃除の対象となる場所毎に掃除を実施した日を示す掃除実施日を対応づけた掃除管理情報を記憶する掃除管理情報記憶部と、
前記位置算出部が算出した位置情報から動作場所を特定し、特定した動作場所に基づいて前記掃除管理情報を更新する更新部と、
前記掃除管理情報に基づいて、ユーザへの報知の要否を判別する報知判別部と、
前記報知判別部によりユーザへの報知が必要であると判別された場合、予め定めた態様でユーザに報知する報知部と、を備える、
請求項９に記載の電気掃除機。
【請求項１２】
前記報知部は、
前記報知判定部がユーザへの報知が必要であると判別された場所を、前記電気掃除機に設けられる表示画面に表示する、
請求項１１に記載の電気掃除機。
【請求項１３】
前記報知部は、
前記更新部が特定した前記電気掃除機の動作場所と、前記報知判定部がユーザへの報知が必要であると判別された場所とから、前記電気掃除機を移動させる方向を指し示す矢印を、前記電気掃除機に設けられる表示画面に表示する、
請求項１１または１２に記載の電気掃除機。
【請求項１４】
前記位置算出部は、前記無線通信装置から受信する無線信号の受信電界強度に基づいて、位置情報を算出する、
請求項９から１３のいずれか１項に記載の電気掃除機。
【請求項１５】
前記無線通信装置は、複数存在し、
前記位置算出部は、
前記無線信号の受信電界強度に基づいて、前記電気掃除機と複数の無線通信装置それぞれとの間の距離を算出し、算出した前記距離に基づいて、前記電気掃除機の現在位置を算出する、
請求項１４に記載の電気掃除機。
【請求項１６】
機器と、
前記機器と通信して、前記機器の現在位置を示す位置情報を受信する通信部と、
掃除対象の場所毎に掃除を実施した日を示す掃除実施日を対応づけた掃除管理情報を記憶する掃除管理情報記憶部と、
受信した前記位置情報から、前記機器の動作場所を特定し、特定した動作場所に基づいて前記掃除管理情報を更新する更新部と、
前記掃除管理情報に基づいて、ユーザへの報知の要否を判別する報知判別部と、
前記報知判別部によりユーザへの報知が必要であると判別された場合、予め定めた態様でユーザに報知する報知部と、を有する、
掃除管理システム。
【請求項１７】
機器の現在位置を取得するステップと、
取得した現在位置から前記機器の動作場所を特定するステップと、
特定した場所に基づいて、掃除の対象となる場所毎に掃除を実施した日を示す掃除実施日を対応づけた掃除管理情報を更新するステップと、
前記掃除管理情報に基づいて、ユーザへの報知の要否を判別するステップと、
ユーザへの報知が必要であると判別された場合、予め定めた態様でユーザに報知するステップと、を含む、
掃除管理方法。
【請求項１８】
コンピュータを、
機器から受信した前記機器の現在位置を示す位置情報から、前記機器の動作場所を特定し、特定した動作場所に基づいて、掃除の対象となる場所毎に掃除を実施した日を示す掃除実施日を対応づけた掃除管理情報を更新する更新部、
前記掃除管理情報に基づいて、ユーザへの報知の要否を判別する報知判別部、
前記報知判別部によりユーザへの報知が必要であると判別された場合、予め定めた態様でユーザに報知する報知部、
として機能させるためのプログラム。